(57)【要約】  取得部（１０２）によって取得された移動体の現在地点から、入力部（１０４）によって指定入力がなされた指定入力地点までの一時経路を、探索部（１０５）によって探索する。そして、表示制御部（１０８）によって表示部（１０１）を制御して、指定入力の継続中に一時経路に関する情報を表示して、指定入力が解除された場合、もしくは一時経路の情報が所定時間以上表示された場合には、一時経路の情報を消去する。また、一時経路を表示中に、確認部（１０６）によって一時経路を用いて経路誘導を実行する旨の確認がなされた場合、経路誘導部（１０７）によって一時経路を用いて経路誘導処理を実行する。
2010067460.tif 000002
【特許請求の範囲】
【請求項１】
地図情報を表示部に表示する情報表示装置であって、
移動体の現在地点の位置情報を取得する取得手段と、
前記表示部に表示されている地図情報上の地点の指定入力を受け付ける入力手段と、
前記移動体の現在地点から前記指定入力がなされた地点（以下、「指定入力地点」とする）までの経路（以下、「一時経路」とする）を探索する探索手段と、
前記表示部を制御して、前記指定入力の継続中に前記一時経路に関する情報を表示し、前記指定入力が解除された場合もしくは前記一時経路に関する情報が所定時間以上表示された場合に当該一時経路に関する情報の表示を消去する表示制御手段と、
を備えることを特徴とする情報表示装置。
【請求項２】
前記表示制御手段は、前記表示部を制御して、前記現在地点と前記指定入力地点との距離に応じて前記一時経路に関する情報の表示形態を設定することを特徴とする請求項１に記載の情報表示装置。
【請求項３】
前記表示部に表示されている地図情報をスクロールするスクロール手段をさらに備え、
前記入力手段は、前記スクロール終了地点を前記指定入力地点とした前記指定入力を受け付けることを特徴とする請求項１または２に記載の情報表示装置。
【請求項４】
前記一時経路を表示中において、当該一時経路を用いて経路誘導を実行するか否かを確認する確認手段と、
前記一時経路を用いて経路誘導を実行する旨の確認がなされた場合に、当該一時経路を用いて経路誘導処理を実行する経路誘導手段と、
をさらに備えることを特徴とする請求項１〜３のいずれか一つに記載の情報表示装置。
【請求項５】
目的地点までの誘導経路を用いて経路誘導処理を実行する経路誘導手段をさらに備え、
前記表示制御手段は、前記誘導経路が存在している際に前記指定入力がなされた場合には、前記表示部を制御して、前記指定入力の継続中に前記一時経路に関する情報を当該誘導経路の情報とともに表示し、前記指定入力が解除されたら当該一時経路に関する情報の表示を消去することを特徴とする請求項１〜３のいずれか一つに記載の情報表示装置。
【請求項６】
前記一時経路を表示中において、前記誘導経路の代わりに前記一時経路を用いて経路誘導処理を実行するか否かを確認する確認手段をさらに備え、
前記経路誘導手段は、前記誘導経路の代わりに前記一時経路を用いて経路誘導処理を実行する旨の確認がなされた場合に、当該誘導経路を当該一時経路に変更して経路誘導処理を実行することを特徴とする請求項５に記載の情報表示装置。
【請求項７】
前記探索手段は、前記一時経路を表示中において、前記取得手段によって取得された前記移動体の現在地点の位置情報が変更された場合、変更された前記移動体の現在地点から前記指定入力地点までの一時経路を再探索することを特徴とする請求項１〜６のいずれか一つに記載の情報表示装置。
【請求項８】
地図情報を表示部に表示する情報表示装置における情報表示方法であって、
移動体の現在地点の位置情報を取得する取得工程と、
前記表示部に表示されている地図情報上の地点の指定入力を受け付ける入力工程と、
前記移動体の現在地点から前記指定入力がなされた地点（以下、「指定入力地点」とする）までの経路（以下、「一時経路」とする）を探索する探索工程と、
前記表示部を制御して、前記指定入力の継続中に前記一時経路に関する情報を表示し、前記指定入力が解除された場合もしくは前記一時経路に関する情報が所定時間以上表示された場合に当該一時経路に関する情報の表示を消去する表示制御工程と、
を含むことを特徴とする情報表示方法。
【請求項９】
請求項８に記載の情報表示方法をコンピュータに実行させることを特徴とする情報表示プログラム。
【請求項１０】
請求項９に記載の情報表示プログラムを記録したことを特徴とするコンピュータに読み取り可能な記録媒体。
【発明の詳細な説明】
【技術分野】
【０００１】
この発明は、利用者に指定された地点までの経路に関する情報を一時的に表示する情報表示装置、情報表示方法、情報表示プログラムおよび記録媒体に関する。
【背景技術】
【０００２】
従来、入力された目的地点までの経路を探索し、探索された経路にしたがって経路案内処理をおこなうナビゲーション装置において、目的地点などの地点の選択、入力の操作をおこなうためのメニューや地図データを表示する表示部を有するナビゲーション装置が提案されている（たとえば、下記特許文献１参照。）。このナビゲーション装置は、表示部に表示されたメニューの選択を受け付けることで、目的地点を設定し、この目的地点までの誘導経路を探索する。【０００３】
【特許文献１】特開平１１−３０５６５７号公報
【発明の開示】
【発明が解決しようとする課題】
【０００４】
しかしながら、上述した特許文献１の技術では、利用者は、興味のある地点までの経路やその経路の移動距離、所要時間を確認したいだけの場合でも、メニューから興味のある地点を目的地点とする旨の入力をおこない、この目的地点までの経路を探索させなければならない。さらに、興味のある地点までの経路を確認後に、この経路を誘導経路としない場合、興味のある地点までの経路を消去する処理をおこなわなければならず、手間がかかるという問題がある。また、すでに目的地点までの経路に誘導されているときに、興味のある地点までの経路やその経路の移動距離、所要時間を確認したい場合、興味のある地点までの経路を探索させると、誘導中の経路が消去されてしまうという問題がある。
【課題を解決するための手段】
【０００５】
上述した課題を解決し、目的を達成するため、請求項１の発明にかかる情報表示装置は、地図情報を表示部に表示する情報表示装置であって、移動体の現在地点の位置情報を取得する取得手段と、前記表示部に表示されている地図情報上の地点の指定入力を受け付ける入力手段と、前記移動体の現在地点から前記指定入力がなされた地点（以下、「指定入力地点」とする）までの経路（以下、「一時経路」とする）を探索する探索手段と、前記表示部を制御して、前記指定入力の継続中に前記一時経路に関する情報を表示し、前記指定入力が解除された場合もしくは前記一時経路に関する情報が所定時間以上表示された場合に当該一時経路に関する情報の表示を消去する表示制御手段と、を備えることを特徴とする。【０００６】
また、請求項８の発明にかかる情報表示方法は、地図情報を表示部に表示する情報表示装置における情報表示方法であって、移動体の現在地点の位置情報を取得する取得工程と、前記表示部に表示されている地図情報上の地点の指定入力を受け付ける入力工程と、前記移動体の現在地点から前記指定入力がなされた地点（以下、「指定入力地点」とする）までの経路（以下、「一時経路」とする）を探索する探索工程と、前記表示部を制御して、前記指定入力の継続中に前記一時経路に関する情報を表示し、前記指定入力が解除された場合もしくは前記一時経路に関する情報が所定時間以上表示された場合に当該一時経路に関する情報の表示を消去する表示制御工程と、を含むことを特徴とする。【０００７】
また、請求項９の発明にかかる情報表示プログラムは、請求項８に記載の情報表示方法をコンピュータに実行させることを特徴とする。【０００８】
また、請求項１０の発明にかかる記録媒体は、請求項９に記載の情報表示プログラムをコンピュータに読み取り可能な状態で記録したことを特徴とする。
【図面の簡単な説明】
【０００９】
【図１】図１は、本実施の形態にかかる情報表示装置の機能的構成を示すブロック図である。
【図２】図２は、情報表示装置の情報表示処理手順を示すフローチャートである。
【図３】図３は、実施例１にかかるナビゲーション装置のハードウェア構成を示すブロック図である。
【図４】図４は、実施例１にかかるナビゲーション装置の処理の内容を示すフローチャートである。
【図５】図５は、実施例１にかかるナビゲーション装置における一時経路の表示の一例について示す説明図である。
【図６】図６は、実施例２にかかるナビゲーション装置の処理の内容を示すフローチャートである。
【図７】図７は、実施例２にかかるナビゲーション装置における一時経路の表示の一例について示す説明図である。
【符号の説明】
【００１０】
１００  情報表示装置
１０１  表示部
１０２  取得部
１０３  スクロール部
１０４  入力部
１０５  探索部
１０６  確認部
１０７  経路誘導部
１０８  表示制御部
【発明を実施するための最良の形態】
【００１１】
以下に添付図面を参照して、この発明にかかる情報表示装置、情報表示方法、情報表示プログラムおよび記録媒体の好適な実施の形態を詳細に説明する。【００１２】
（実施の形態）
（情報表示装置の機能的構成）
まず、この発明の実施の形態にかかる情報表示装置１００の機能的構成について説明する。図１は、本実施の形態にかかる情報表示装置の機能的構成を示すブロック図である。【００１３】
図１において、情報表示装置１００は、表示部１０１と、取得部１０２と、スクロール部１０３と、入力部１０４と、探索部１０５と、確認部１０６と、経路誘導部１０７と、表示制御部１０８と、を備えている。表示部１０１は、地図情報を表示する表示画面を備えている。ここで、地図情報は、図示しない記憶部に記憶されている。地図情報は、ノードおよびリンクからなる道路ネットワークデータと、施設や道路その他地形（山、川、土地）に関するフィーチャを用いて描画される画像データとを含んでいる。地図情報は、文字情報、施設の名称や住所などの情報、道路や施設の画像などを含んでいてもよい。【００１４】
取得部１０２は、移動体の現在地点の位置情報を取得する。移動体の現在地点の位置情報は、具体的には、たとえば移動体に備えられたＧＰＳユニットや加速度センサなどによって取得される。【００１５】
スクロール部１０３は、表示部１０１に表示されている地図情報をスクロールする。スクロール部１０３は、表示部１０１に表示されている地図情報の範囲を、利用者の操作の入力に合わせて徐々に変更する。なお、スクロールの中心地点、すなわち表示部１０１に表示されている地図情報の中心地点には、ポイントマークが重畳して表示されていてもよい。【００１６】
入力部１０４は、表示部１０１に表示されている地図情報上の地点の指定入力を受け付ける。また、入力部１０４は、スクロール部１０３によるスクロール終了地点を指定入力がなされた地点（以下、「指定入力地点」とする）とした指定入力を受け付けてもよい。スクロール終了地点とは、たとえば地図情報のスクロールを停止してから所定時間が経過したときのスクロールの中心地点、すなわち表示部１０１に表示されている地図情報の中心地点である。また、入力部１０４は、スクロールの終了地点以外の、利用者によって選択された地図情報上の任意の地点を指定入力地点とした指定入力を受け付けてもよい。【００１７】
探索部１０５は、移動体の現在地点から指定入力地点までの経路（以下、「一時経路」とする）を探索する。探索部１０５は、たとえば入力部１０４がスクロール部１０３によるスクロール終了地点を指定入力地点とした指定入力を受け付けた場合、移動体の現在地点から、表示部１０１に表示されている地図の中心の地点までの一時経路を探索する。なお、探索部１０５は、一方通行や右左折禁止などの交通規制や渋滞情報などを考慮して一時経路を探索してもよい。このように、一方通行などで通行が困難な細街路や渋滞している道路を含まない経路とすることで、利用者が効率的に移動可能な経路を探索することができる。【００１８】
また、探索部１０５は、一時経路を表示中において、取得部１０２によって取得された移動体の現在地点の位置情報が変更された場合、変更された移動体の現在地点から指定入力地点までの一時経路を再探索してもよい。すなわち、探索部１０５は、取得部１０２によって取得された移動体の現在地点の位置情報の変化に応じて、一時経路を更新するようにしてもよい。【００１９】
確認部１０６は、一時経路を表示中において、この一時経路を用いて経路誘導を実行するか否かを確認する。具体的には、たとえば表示部１０１に利用者からの一時経路を用いて経路誘導を実行するか否かの選択を受け付けるキーなどを表示し、いずれのキーが押下されたかを検出することで、一時経路を用いて経路誘導を実行するか否かを確認する。確認部１０６は、後述する経路誘導部１０７によって目的地点までの経路誘導が実行されている場合、一時経路を表示中において、目的地点までの誘導経路の代わりに一時経路を用いて経路誘導処理を実行するか否かを確認する。【００２０】
経路誘導部１０７は、確認部１０６によって一時経路を用いて経路誘導を実行する旨の確認がなされた場合に、この一時経路を用いて経路誘導処理を実行する。すなわち、経路誘導部１０７は、目的地点までの経路誘導が実行されていない場合でも、確認部１０６によって一時経路を用いて経路誘導を実行する旨の確認がなされた場合は、この一時経路を用いて経路誘導処理を実行する。【００２１】
また、経路誘導部１０７は、目的地点までの誘導経路を用いて経路誘導処理を実行してもよい。この場合、経路誘導部１０７は、確認部１０６によって誘導経路の代わりに一時経路を用いて経路誘導処理を実行する旨の確認がなされた場合に、誘導経路を一時経路に変更して経路誘導処理を実行する。なお、この場合、経路誘導部１０７は、一時経路を表示中に、誘導経路を用いた経路誘導処理を継続して実行していてもよい。【００２２】
表示制御部１０８は、表示部１０１を制御して、指定入力の継続中に一時経路に関する情報を表示し、指定入力が解除された場合もしくは一時経路に関する情報が所定時間以上表示された場合に一時経路に関する情報の表示を消去する。ここで、一時経路に関する情報は、たとえば現在地点から指定入力地点までの経路、その移動距離や所要時間の情報である。表示制御部１０８は、表示部１０１を制御して、現在地点から指定入力地点までの経路を表示せず、移動距離や所要時間の情報だけを表示してもよい。【００２３】
また、表示制御部１０８は、表示部１０１を制御して、現在地点と指定入力地点との距離に応じて一時経路に関する情報の表示形態を設定する。すなわち、移動体の現在地点と、指定入力地点とが、表示部１０１に表示される地図情報上に含まれる場合、この地図情報上に一時経路を表示する。また、移動体の現在地点と、指定入力地点とが、表示部１０１に表示される地図情報上に含まれない程度に離れている場合、地図情報の縮尺を変更して、表示部１０１に表示される地図情報上に移動体の現在地点と、指定入力地点とが含まれるようにするか、概略図を表示するかして、一時経路の全体を表示してもよい。【００２４】
表示制御部１０８は、目的地点までの誘導経路が存在している際に指定入力がなされた場合には、表示部１０１を制御して、指定入力の継続中に一時経路に関する情報を誘導経路の情報とともに表示し、指定入力が解除されたら一時経路に関する情報の表示を消去する。【００２５】
（情報表示装置の情報表示処理手順）
つぎに、情報表示装置１００の情報表示処理手順について説明する。図２は、情報表示装置の情報表示処理手順を示すフローチャートである。図２のフローチャートにおいて、まず、取得部１０２によって移動体の現在地点の位置情報を取得する（ステップＳ２０１）。また、入力部１０４によって地図情報上の地点の指定入力を受け付けるまで待機する（ステップＳ２０２：Ｎｏのループ）。【００２６】
つぎに、ステップＳ２０２において指定入力を受け付けた場合（ステップＳ２０２：Ｙｅｓ）、探索部１０５によって、ステップＳ２０１において取得された移動体の現在地点から、ステップＳ２０２において受け付けられた指定入力地点までの一時経路を探索する（ステップＳ２０３）。ステップＳ２０３においては、交通規制や渋滞情報を考慮した一時経路を探索するようにしてもよい。【００２７】
つぎに、表示制御部１０８によって、表示部１０１を制御して、一時経路に関する情報を表示する（ステップＳ２０４）。そして、指定入力が解除されたか否か、もしくは一時経路に関する情報が所定時間以上表示されたか否かを判断する（ステップＳ２０５）。ステップＳ２０５において、指定入力が解除された場合もしくは一時経路に関する情報が所定時間以上表示された場合（ステップＳ２０５：Ｙｅｓ）、一時経路に関する情報の表示を消去して（ステップＳ２０６）、一連の処理を終了する。【００２８】
一方、ステップＳ２０５において、指定入力が解除されない場合もしくは一時経路に関する情報が所定時間以上表示されていない場合（ステップＳ２０５：Ｎｏ）、確認部１０６によって一時経路を用いて経路誘導処理を実行するか否かを確認する（ステップＳ２０７）。ステップＳ２０７において、一時経路を用いて経路誘導処理を実行する旨の確認がなされない場合（ステップＳ２０７：Ｎｏ）、ステップＳ２０５に戻り、以降の処理を繰り返しおこなう。そして、ステップＳ２０７において、一時経路を用いて経路誘導処理を実行する旨の確認がなされた場合（ステップＳ２０７：Ｙｅｓ）、経路誘導部１０７によって一時経路を用いて経路誘導処理を実行して（ステップＳ２０８）、一連の処理を終了する。【００２９】
なお、図２のフローチャートにおいては、ステップＳ２０２において、表示部１０１に表示されている地図情報をスクロールするスクロール部１０３によるスクロールの終了地点を指定入力地点として受け付けたか否かを判断してもよい。【００３０】
また、図２のフローチャートにおいては、たとえばステップＳ２０１において移動体の現在地点の位置情報を取得した後に、経路誘導部１０７によって車両の現在地点から目的地点までの誘導経路を用いて経路誘導処理を実行してもよい。この場合、ステップＳ２０７においては、誘導経路の代わりに一時経路を用いて経路誘導処理を実行するか否かを確認する。そして、誘導経路の代わりに一時経路を用いて経路誘導処理を実行する旨の確認がなされた場合に、誘導経路を一時経路に変更して経路誘導処理を実行してもよい。この場合、ステップＳ２０４において一時経路に関する情報を表示中に、誘導経路を用いた経路誘導処理を継続して実行していてもよい。【００３１】
また、図２のフローチャートにおいては、ステップＳ２０４において一時経路に関する情報を表示する前に、ステップＳ２０１において取得された車両の現在地点と、ステップＳ２０２において受け付けられた指定入力地点と、の距離に応じて、一時経路に関する情報の表示形態を設定してもよい。すなわち、現在地点と指定入力地点とが、ともに表示部１０１に表示された地図情報上に表示されるようにする。具体的には、表示部１０１に表示される地図情報の縮尺を変更したり、概略図を表示したりする。【００３２】
また、図２のフローチャートにおいては、ステップＳ２０４において一時経路に関する情報を表示した後、ステップＳ２０６において一時経路に関する情報の表示を消去するか、ステップＳ２０８において一時経路を用いて経路誘導処理を実行するまでの間、常に移動体の現在地点の位置情報を取得し続け、移動体の現在地点の位置情報の変化に応じて、一時経路を更新してもよい。【００３３】
また、図２のフローチャートにおいては、ステップＳ２０５において、指定入力が解除されたか否か、もしくは一時経路に関する情報が所定時間以上表示されたか否かを判断するとしているが、これに限るものではない。具体的には、指定入力が解除されたか否かのみを判断してもよい。この場合、一時経路に関する情報が所定時間以上表示されているか否かに関わらず、指定入力が解除されない場合、ステップＳ２０７に進み、指定入力が解除された場合、ステップＳ２０６に進む構成としてもよい。【００３４】
上述したように、本実施の形態の情報表示装置１００によれば、取得部１０２によって取得された移動体の現在地点から、入力部１０４によって指定入力がなされた表示部１０１に表示されている地図情報上の指定入力地点までの一時経路を、探索部１０５によって探索することができる。そして、表示制御部１０８によって表示部１０１を制御して、指定入力の継続中に一時経路に関する情報を表示し、指定入力が解除された場合もしくは一時経路に関する情報が所定時間以上表示された場合に一時経路に関する情報の表示を消去することができる。したがって、利用者が興味のある地点までの経路やその経路に関する情報を、一時的に表示することができる。これによって、利用者は、たとえば興味のある地点までの経路を誘導経路とせず、単に情報を知りたいだけの場合に、興味のある地点を目的地点とした経路誘導処理を実行させ、さらにこの経路を消去する手間を省くことができ、簡単に興味のある地点までの経路に関する情報を知ることができる。【００３５】
また、本実施の形態の情報表示装置１００によれば、表示制御部１０８によって表示部１０１を制御して、現在地点と指定入力地点との距離に応じて一時経路に関する情報の表示形態を設定することができる。したがって、現在地点と指定入力地点とを含んだ一時経路の全体を表示することができる。これによって、利用者は、興味のある地点までの経路を簡単に確認することができる。【００３６】
また、本実施の形態の情報表示装置１００によれば、入力部１０４によって、表示部１０１に表示されている地図情報をスクロールするスクロール部１０３によるスクロール終了地点を指定入力地点とした指定入力を受け付けることができる。したがって、たとえば利用者が所望する地点を表示させようと地図情報をスクロールさせた場合、スクロールが終了した地点、すなわち利用者が所望する地点までの経路を一時的に表示することができる。これによって、利用者は、たとえば興味のある地点を調べようと地図情報をスクロールさせるだけで、興味のある地点までの経路や移動距離、所要時間などのより詳しい情報を知ることができる。【００３７】
また、本実施の形態の情報表示装置１００によれば、確認部１０６によって、一時経路を表示中において、一時経路を用いて経路誘導を実行する旨の確認がなされた場合に、経路誘導部１０７によって一時経路を用いて経路誘導処理を実行することができる。これによって、利用者は、興味のある地点の情報を知った後に、この興味のある地点に向かいたくなった場合、興味のある地点までの経路に誘導されることができる。したがって、利用者は、興味のある地点に迷うことなく到達することができる。【００３８】
また、本実施の形態の情報表示装置１００によれば、経路誘導部１０７によって経路誘導処理の実行された目的地点までの誘導経路が存在している際に、入力部１０４によって指定入力がなされた場合には、表示制御部１０８によって表示部１０１を制御して、指定入力の継続中に一時経路に関する情報を誘導経路の情報とともに表示し、指定入力が解除されたら一時経路に関する情報の表示を消去することができる。したがって、現在地点から目的地点までの誘導経路を用いた経路誘導処理を実行している場合でも、誘導経路とともに一時経路を表示することができる。これによって、利用者は、誘導経路と、一時経路とを比較することができる。【００３９】
また、本実施の形態の情報表示装置１００によれば、確認部１０６によって、一時経路を表示中において、誘導経路の代わりに一時経路を用いて経路誘導処理を実行する旨の確認がなされた場合に、経路誘導部１０７によって誘導経路を一時経路に変更して経路誘導処理を実行することができる。したがって、現在地点から目的地点までの誘導経路を用いた経路誘導処理を実行している場合でも、一時経路を用いた経路誘導処理に変更することができる。これによって、利用者は、誘導経路に誘導されている途中で、興味のある地点に向かいたくなった場合、目的地点を興味のある地点に変更して経路誘導されることができる。【００４０】
また、本実施の形態の情報表示装置１００によれば、探索部１０５は、一時経路を表示中において、取得部１０２によって取得された移動体の現在地点の位置情報が変更された場合、変更された移動体の現在地点から指定入力地点までの一時経路を再探索することができる。したがって、一時経路を表示中に、移動体の現在地点が変化している場合、移動体の現在地点の変化に応じて、一時経路を更新することができる。これによって、利用者は、常に自身の現在地点に応じた一時経路を表示させることができる。
【実施例１】
【００４１】
以下に、本発明の実施例について説明する。実施例１または実施例２では、たとえば、車両（四輪車、二輪車を含む）などの移動体に搭載されるナビゲーション装置によって、本発明の情報表示装置を実施した場合の一例について説明する。【００４２】
（ナビゲーション装置のハードウェア構成）
つぎに、実施例１にかかるナビゲーション装置３００のハードウェア構成について説明する。図３は、実施例１にかかるナビゲーション装置のハードウェア構成を示すブロック図である。図３において、ナビゲーション装置３００は、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、マイク３０９と、スピーカ３１０と、入力デバイス３１１と、映像Ｉ／Ｆ３１２と、ディスプレイ３１３と、通信Ｉ／Ｆ３１４と、ＧＰＳユニット３１５と、各種センサ３１６と、カメラ３１７と、を備えている。各構成部３０１〜３１７は、バス３２０によってそれぞれ接続されている。【００４３】
まず、ＣＰＵ３０１は、ナビゲーション装置３００の全体の制御を司る。ＲＯＭ３０２は、ブートプログラム、データ更新プログラム、指定入力受付プログラム、一時経路探索プログラム、表示形態設定プログラム、一時経路誘導プログラムなどのプログラムを記録している。また、ＲＡＭ３０３は、ＣＰＵ３０１のワークエリアとして使用される。すなわち、ＣＰＵ３０１は、ＲＡＭ３０３をワークエリアとして使用しながら、ＲＯＭ３０２に記録された各種プログラムを実行することによって、ナビゲーション装置３００の全体の制御を司る。【００４４】
指定入力受付プログラムは、入力デバイス３１１からの利用者による指示の入力によって、ディスプレイ３１３に表示された地図情報上の地点の指定入力を受け付けさせる。具体的には、たとえば利用者による入力デバイス３１１の操作によって、ディスプレイ３１３に表示されている地図情報をポイントマークを中心としてスクロールし、このスクロールが終了したときのポイントマークの示す地点を指定入力のなされた地点（以下、「指定入力地点」とする）とした指定入力を受け付けさせる。【００４５】
一時経路探索プログラムは、指定入力受付プログラムによって受け付けられた指定入力地点までの経路（以下、「一時経路」とする）を探索させる。また、一時経路探索プログラムは、探索された一時経路における、車両の現在地点から指定入力地点までの移動距離や所要時間を探索させてもよい。【００４６】
表示形態設定プログラムは、一時経路探索プログラムによって探索された一時経路の全体をディスプレイ３１３に表示させるための表示形態を設定させる。すなわち、表示形態設定プログラムは、車両の現在地点と指定入力地点との距離に基づいて、表示形態を設定させる。表示形態設定プログラムは、具体的には、たとえば出発地点と指定入力地点とが同時にディスプレイ３１３に表示されている場合は、表示形態を変更せず、そのまま一時経路を表示させる。また、表示形態設定プログラムは、たとえば出発地点と指定入力地点とが同時にディスプレイ３１３に表示されない程度に離れている場合は、ディスプレイ３１３に表示される地図情報の縮尺を変更して、出発地点と指定入力地点とを同時にディスプレイ３１３に表示させる。また、出発地点と指定入力地点とが含まれる概略図を生成させて、この概略図をディスプレイ３１３の一部に表示させる。【００４７】
一時経路誘導プログラムは、利用者によって一時経路を用いて経路誘導処理を実行する旨の確認がなされた場合に、一時経路を用いて経路誘導処理を実行させる。一時経路誘導プログラムは、たとえば表示形態設定プログラムによって設定された表示形態でディスプレイ３１３上に表示された一時経路が、利用者によって選択された場合に、この一時経路を用いて経路誘導処理を実行させる。【００４８】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。【００４９】
また、光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータが読み出される着脱自在な記録媒体である。光ディスク３０７は、書き込み可能な記録媒体を利用することもできる。着脱可能な記録媒体として、光ディスク３０７のほか、ＭＯ、メモリカードなどであってもよい。【００５０】
磁気ディスク３０５および光ディスク３０７に記録される情報の一例としては、地図情報や機能データが挙げられる。地図情報は、建物、河川、地表面などの地物（フィーチャ）をあらわす背景データと、道路の形状をあらわす道路形状データとを含んでおり、地区ごとに分けられた複数のデータファイルによって構成されている。【００５１】
道路形状データは、さらに交通条件データを有する。交通条件データには、たとえば、各ノードについて、信号や横断歩道などの有無、高速道路の出入り口やジャンクションの有無、各リンクについての長さ（距離）、道幅、進行方向、道路種別（高速道路、有料道路、一般道路など）などの情報が含まれている。【００５２】
機能データは、地図上の施設の形状をあらわす３次元データ、当該施設の説明をあらわす文字データ、その他地図情報以外の各種のデータである。地図情報や機能データは、地区ごとあるいは機能ごとにブロック分けされた状態で記録されている。具体的には、たとえば、地図情報は、各々が、表示画面に表示された地図において所定の地区をあらわすように、地区ごとにブロック分けすることができる状態で記録されている。また、たとえば、機能データは、各々が、１つの機能を実現するように、機能ごとに複数にブロック分けすることができる状態で記録されている。【００５３】
また、機能データは、上述した３次元データや文字データに加えて、経路探索、所要時間の算出、経路誘導などを実現するプログラムデータなどの機能を実現するためのデータである。地図情報および機能データは、それぞれ、地区ごとあるいは機能ごとに分けられた複数のデータファイルによって構成されている。【００５４】
音声Ｉ／Ｆ３０８は、音声入力用のマイク３０９および音声出力用のスピーカ３１０に接続される。マイク３０９に受音された音声は、音声Ｉ／Ｆ３０８内でＡ／Ｄ変換される。マイク３０９は、たとえば、車両のサンバイザー付近に設置され、その数は単数でも複数でもよい。スピーカ３１０からは、所定の音声信号を音声Ｉ／Ｆ３０８内でＤ／Ａ変換した音声が出力される。なお、マイク３０９から入力された音声は、音声データとして磁気ディスク３０５あるいは光ディスク３０７に記録可能である。【００５５】
入力デバイス３１１は、文字、数値、各種指示などの入力のための複数のキーを備えたリモコン、キーボード、タッチパネルなどが挙げられる。入力デバイス３１１は、リモコン、キーボード、タッチパネルのうちいずれか１つの形態によって実現されてもよいが、複数の形態によって実現することも可能である。【００５６】
映像Ｉ／Ｆ３１２は、ディスプレイ３１３に接続される。映像Ｉ／Ｆ３１２は、具体的には、たとえば、ディスプレイ３１３全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ３１３を制御する制御ＩＣなどによって構成される。【００５７】
ディスプレイ３１３には、アイコン、カーソル、メニュー、ウインドウ、あるいは文字や画像などの各種データが表示される。ディスプレイ３１３には、上述した地図情報が、２次元または３次元に描画される。ディスプレイ３１３に表示された地図情報には、ナビゲーション装置３００を搭載した車両の現在地点をあらわすマークなどを重ねて表示することができる。車両の現在地点は、ＣＰＵ３０１によって算出される。【００５８】
また、ディスプレイ３１３に表示された地図情報は、入力デバイス３１３からの操作の入力によって表示される範囲がスクロールされてもよい。そして、ディスプレイ３１３に表示された地図情報には、たとえばスクロールの中心を示すポイントマークを重ねて表示してもよい。【００５９】
ディスプレイ３１３としては、たとえば、ＣＲＴ、ＴＦＴ液晶ディスプレイ、プラズマディスプレイなどを用いることができる。ディスプレイ３１３は、たとえば、車両のダッシュボード付近に設置される。ディスプレイ３１３は、車両のダッシュボード付近のほか、車両の後部座席周辺などに設置するなどして、車両において複数設置されていてもよい。【００６０】
通信Ｉ／Ｆ３１４は、無線を介してネットワークに接続され、ナビゲーション装置３００とＣＰＵ３０１とのインターフェースとして機能する。通信Ｉ／Ｆ３１４は、さらに、無線を介してインターネットなどの通信網に接続され、この通信網とＣＰＵ３０１とのインターフェースとしても機能する。【００６１】
通信網には、ＬＡＮ、ＷＡＮ、公衆回線網や携帯電話網などがある。具体的には、通信Ｉ／Ｆ３１４は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規制などの道路交通情報を取得する。なお、ＶＩＣＳは登録商標である。また、通信Ｉ／Ｆ３１４は、たとえば、ＤＳＲＣ（Ｄｅｄｉｃａｔｅｄ  Ｓｈｏｒｔ  Ｒａｎｇｅ  Ｃｏｍｍｕｎｉｃａｔｉｏｎ）を用いた場合は、路側に設置された無線装置と双方向の無線通信をおこなう車載無線装置によって構成され、交通情報や地図情報など各種情報を取得する。なお、ＤＳＲＣの具体例としては、ＥＴＣ（ノンストップ自動料金支払いシステム）が挙げられる。【００６２】
ＧＰＳユニット３１５は、ＧＰＳ衛星からの電波を受信し、車両の現在地点を示す情報を出力する。ＧＰＳユニット３１５の出力情報は、後述する各種センサ３１６の出力値とともに、ＣＰＵ３０１による車両の現在地点の算出に際して利用される。現在地点を示す情報は、たとえば緯度・経度、高度などの、地図情報上の１点を特定する情報である。【００６３】
各種センサ３１６は、車速センサ、加速度センサ、角速度センサなどの、車両の位置や挙動を判断するための情報を出力する。各種センサ３１６の出力値は、ＣＰＵ３０１による車両の現在地点の算出や、速度や方位の変化量の算出に用いられる。【００６４】
カメラ３１７は、車両内部あるいは外部の映像を撮影する。映像は静止画あるいは動画のどちらでもよく、たとえば、カメラ３１７によって車両内部の搭乗者の挙動を撮影し、撮影した映像を映像Ｉ／Ｆ３１２を介して磁気ディスク３０５や光ディスク３０７などの記録媒体に出力する。また、カメラ３１７によって車両外部の状況を撮影し、撮影した映像を映像Ｉ／Ｆ３１２を介して磁気ディスク３０５や光ディスク３０７などの記録媒体に出力する。また、カメラ３１７は、赤外線カメラ機能を有しており、赤外線カメラ機能を用いて撮影された映像情報に基づいて車両内部に存在する物体の表面温度の分布を相対的に比較することができる。また、記録媒体に出力された映像は、上書き記録や保存がおこなわれる。【００６５】
図１に示した情報表示装置１００が備える表示部１０１、取得部１０２、スクロール部１０３、入力部１０４、探索部１０５、確認部１０６、経路誘導部１０７、表示制御部１０８は、図３に示したナビゲーション装置３００におけるＲＯＭ３０２、ＲＡＭ３０３、磁気ディスク３０５、光ディスク３０７などに記録されたプログラムやデータを用いて、ＣＰＵ３０１が所定のプログラムを実行し、ナビゲーション装置３００における各部を制御することによってその機能を実現する。【００６６】
すなわち、実施例１のナビゲーション装置３００は、ナビゲーション装置３００における記録媒体としてのＲＯＭ３０２に記録されている情報表示プログラムを実行することにより、図１に示した情報表示装置が備える機能を、図２に示した情報表示処理手順で実行することができる。【００６７】
（ナビゲーション装置の処理の内容）
つぎに、実施例１にかかるナビゲーション装置３００の処理の内容について説明する。図４は、実施例１にかかるナビゲーション装置の処理の内容を示すフローチャートである。図４のフローチャートにおいて、まず、車両の現在地点の位置情報を取得する（ステップＳ４０１）。なお、図４のフローチャートにおいては、常に車両の現在地点の位置情報を取得していることとする。つぎに、ディスプレイ３１３に表示された地図情報がスクロールされるまで待機する（ステップＳ４０２：Ｎｏのループ）。【００６８】
ステップＳ４０２において地図情報がスクロールされた場合（ステップＳ４０２：Ｙｅｓ）、地図情報のスクロールが終了するまで待機する（ステップＳ４０３：Ｎｏのループ）。ステップＳ４０３において地図情報のスクロールが終了したと判断された場合（ステップＳ４０３：Ｙｅｓ）、指定地点入力プログラムを実行して、ステップＳ４０３において地図情報のスクロールが終了したと判断されたときのポイントマークの示す地点を指定入力地点として受け付ける（ステップＳ４０４）。【００６９】
そして、一時経路探索プログラムを実行して、ステップＳ４０１において受け付けられた車両の現在地点から、ステップＳ４０４において受け付けられたポイントマークの示す地点までの一時経路を探索する（ステップＳ４０５）。ステップＳ４０５においては、交通規制や渋滞情報を考慮した一時経路を探索するようにしてもよい。さらに、ステップＳ４０５において探索された一時経路における、車両の現在地点とポイントマークの示す地点との距離を算出する（ステップＳ４０６）。そして、表示形態設定プログラムを実行して、ステップＳ４０６において算出された車両の現在地点とポイントマークの示す地点との距離に基づいて、一時経路の表示形態を設定する（ステップＳ４０７）。【００７０】
つぎに、ステップＳ４０７において設定された表示形態で、一時経路に関する情報を表示する（ステップＳ４０８）。一時経路に関する情報は、たとえば車両の現在地点から指定入力地点までの経路、移動距離、所要時間のうちの少なくとも１つ以上の情報である。【００７１】
つぎに、ポイントマークを消去したか否かを判断して（ステップＳ４０９）、ポイントマークを消去したと判断されない場合（ステップＳ４０９：Ｎｏ）、ポイントマークを移動したか否かを判断する（ステップＳ４１０）。ステップＳ４１０においてポイントマークを移動したと判断されない場合（ステップＳ４１０：Ｎｏ）、ステップＳ４０８において一時経路に関する情報を表示してから所定時間以上経過したか否かを判断する（ステップＳ４１１）。ステップＳ４１１において所定時間以上経過したと判断されない場合（ステップＳ４１１：Ｎｏ）、一時経路を用いた経路誘導処理を実行するか否かを確認する（ステップＳ４１２）。【００７２】
ステップＳ４１２によって一時経路を用いた経路誘導処理を実行すると確認されない場合（ステップＳ４１２：Ｎｏ）、ステップＳ４０９に戻って以降の処理を繰り返しおこなう。そして、ステップＳ４０９においてポイントマークを消去したと判断された場合（ステップＳ４０９：Ｙｅｓ）、ステップＳ４１０においてポイントマークを移動したと判断された場合（ステップＳ４１０：Ｙｅｓ）、ステップＳ４１１において所定時間以上経過したと判断された場合（ステップＳ４１１：Ｙｅｓ）、ステップＳ４０８においてディスプレイ３１３への一時経路に関する情報の表示を消去して（ステップＳ４１３）、ステップＳ４０２に戻り、以降の処理を繰り返しおこなう。【００７３】
一方、ステップＳ４１２において一時経路を用いて経路誘導処理を実行する旨の確認がなされた場合（ステップＳ４１２：Ｙｅｓ）、一時経路誘導プログラムを実行することで、一時経路を用いて経路誘導処理を実行して（ステップＳ４１４）、一連の処理を終了する。【００７４】
なお、図４のフローチャートにおいては、ステップＳ４０３において地図情報のスクロールが終了したか否かを判断し、ステップＳ４０４においてスクロールの中心であるポイントマークの示す地点を指定入力地点として受け付けることとしているが、これに限るものではない。指定入力地点は、利用者によって指定された地点であれば、スクロールの中心地点でなくてもよい。具体的には、たとえば利用者によってダブルクリックされた地点や、所定時間以上指定された地点を、指定入力地点として受け付けてもよい。【００７５】
（一時経路の表示の一例について）
つぎに、図５を用いて実施例１にかかるナビゲーション装置３００における一時経路の表示の一例について説明する。図５は、実施例１にかかるナビゲーション装置における一時経路の表示の一例について示す説明図である。図５に示すように、ディスプレイ３１３に表示された地図情報上には、車両の現在地点５０１と、地図情報のスクロールの中心地点５０２と、車両の現在地点５０１からスクロールの中心地点５０２までの一時経路５０３と、一時経路に関する情報５０４と、が重ねて表示されている。【００７６】
また、一時経路に関する情報５０４には、一時経路５０３において車両の現在地点５０１からスクロールの中心地点５０２までにかかる移動距離や所要時間に加え、たとえば一時経路５０３を用いて経路誘導処理を実行するか否かを利用者に確認するための選択肢などが含まれる。図５において、一時経路５０３を用いて経路誘導処理を実行する旨の確認がなされた場合、一時経路５０３を用いて経路誘導処理を実行する。【００７７】
また、図４のフローチャートにおいては、ステップＳ４０８において一時経路に関する情報を表示した後、ステップＳ４１３において一時経路に関する情報の表示を消去するか、ステップＳ４１４において一時経路を用いて経路誘導処理を実行するまでの間、常に移動体の現在地点の位置情報を取得し続け、移動体の現在地点の位置情報の変化に応じて、一時経路を更新してもよい。【００７８】
また、図４のフローチャートにおいては、ステップＳ４１０：Ｎｏにおいてポイントマークを移動していないと判断された場合、ステップＳ４１１に進み、所定時間以上経過したか否かを判断するとしているが、これに限るものではない。具体的には、たとえばステップＳ４１０：Ｎｏにおいてポイントマークを移動していないと判断された場合、ステップＳ４１１を省略して、ステップＳ４１２に進み、一時経路を用いた経路誘導処理を実行するか否かを判断してもよい。【００７９】
上述したように、実施例１にかかるナビゲーション装置３００によれば、利用者によって指定された地点までの経路に関する情報を一時的に表示することができる。したがって、利用者は、興味のある地点を調べたい場合に、興味のある地点まで地図情報をスクロールするのみで、興味のある地点までの一時経路、移動距離、所要時間などを表示させることができる。また、利用者は、興味のある地点を指定している間だけ、一時経路を表示させることができる。このため、一時経路に誘導されるつもりがなく、調べたいだけのときに、経路探索をおこない、探索された経路を消去する処理をおこなう必要がないため、簡単に興味のある地点までの経路を調べることができる。さらに、利用者は、興味のある地点に向かいたい場合は、一時経路を用いた経路誘導処理をおこなわせることができるため、迷わず興味のある地点まで到達することができる。
【実施例２】
【００８０】
つぎに、実施例２にかかるナビゲーション装置３３０について説明する。実施例２にかかるナビゲーション装置３３０は、実施例１にかかるナビゲーション装置３００とは異なり、一時経路探索プログラムによって一時経路が探索される前に、目的地点までの誘導経路を用いて経路誘導処理が実行されている場合、一時経路探索プログラムによって一時経路が探索され、表示形態設定プログラムによって設定された表示形態で一時経路がディスプレイ３１３に表示されている間も、目的地点までの誘導経路を用いた誘導経路処理が継続される。この場合、利用者に目的地点までの誘導経路の代わりに一時経路を用いて経路誘導処理を実行する旨の確認がなされた場合に、一時経路誘導プログラムを実行して、誘導経路を一時経路に変更して経路誘導処理をおこなわせる。その他の構成については、実施例１にかかるナビゲーション装置３００と同様のため、同一の符号を付し、説明を省略する。【００８１】
（ナビゲーション装置の処理の内容）
つぎに、実施例２にかかるナビゲーション装置３３０の処理の内容について説明する。図６は、実施例２にかかるナビゲーション装置の処理の内容を示すフローチャートである。図６のフローチャートに示すように、実施例２にかかるナビゲーション装置３３０の処理においては、図４のフローチャートにおけるステップＳ４０１において車両の現在地点の位置情報を取得した後で、ステップＳ４０２において地図情報がスクロールされたか否かを判断する前に、ステップＳ４０１において取得された車両の現在地点から利用者の所望する目的地点までの誘導経路を用いて経路誘導処理を実行する（ステップＳ６０１）。【００８２】
また、図４のフローチャートにおけるステップＳ４１１：Ｎｏにおいて所定時間以上経過していないと判断された場合、ステップＳ６０１において経路誘導処理の実行された誘導経路の代わりに一時経路を用いた経路誘導処理を実行するか否かを確認する（ステップＳ６０２）。ステップＳ６０２において誘導経路の代わりに一時経路を用いた経路誘導処理を実行すると確認されない場合（ステップＳ６０２：Ｎｏ）、ステップＳ４０９に戻り、以降の処理を繰り返しおこなう。【００８３】
一方、ステップＳ６０２において誘導経路の代わりに一時経路を用いた経路誘導処理を実行する旨の確認がなされた場合（ステップＳ６０２：Ｙｅｓ）、ステップＳ６０１において経路誘導処理の実行された誘導経路を一時経路に変更して経路誘導処理を実行して（ステップＳ６０３）、一連の処理を終了する。その他の処理については、実施例１にかかるナビゲーション装置３００と同様のため、同一の処理には同一の符号を付し、説明を省略する。【００８４】
（一時経路の表示の一例について）
つぎに、図７を用いて実施例２にかかるナビゲーション装置３３０における一時経路の表示の一例について説明する。図７は、実施例２にかかるナビゲーション装置における一時経路の表示の一例について示す説明図である。図７に示すように、ディスプレイ３１３に表示された地図情報上には、車両の現在地点５０１と、地図情報のスクロールの中心地点５０２と、車両の現在地点５０１からスクロールの中心地点５０２までの一時経路５０３と、一時経路に関する情報７０２と、に加え、車両の現在地点５０１から図示しない目的地点までの誘導経路７０１が重ねて表示されている。このように、図７においては、一時経路５０３が表示されている間も、誘導経路７０１を用いた経路誘導処理が継続して実行されている。【００８５】
また、一時経路に関する情報７０２には、一時経路５０３において車両の現在地点５０１からスクロールの中心地点５０２までにかかる移動距離や所要時間に加え、たとえば誘導経路７０１の代わりに一時経路５０３を用いて経路誘導処理を実行するか否かを利用者に確認するための選択肢などが含まれる。図７において、誘導経路７０１の代わりに一時経路５０３を用いて経路誘導処理を実行する旨の確認がなされた場合、誘導経路７０１を用いた経路誘導処理を終了し、一時経路５０３を用いて経路誘導処理を実行する。【００８６】
上述したように、実施例２にかかるナビゲーション装置３３０によれば、利用者によって指定された地点までの経路に関する情報を一時的に表示することができる。これによって、利用者は、表示画面に表示されたメニューなどから、興味のある地点を目的地点とする旨の入力操作をおこなわなくても、興味のある地点までの一時経路に関する情報を確認することができる。また、一時経路を誘導経路としない場合でも、一時経路を消去する処理をおこなわなくてよいため、手間がかからない。さらに、目的地点までの誘導経路に誘導されている途中でも、興味のある地点までの一時経路に関する情報を知ることができる。また、誘導経路と一時経路とをともに表示させて、比較することができるため、簡単に元の目的地点と興味のある地点とのどちらに向かいたいかを選択することができる。さらに、利用者は、誘導経路から一時経路に変更した場合、簡単に変更することができ、迷わずに興味のある地点に向かうことができる。【００８７】
以上説明したように、本発明の情報表示装置、情報表示方法、情報表示プログラム、および記録媒体によれば、利用者の興味のある地点までの経路に関する情報を一時的に表示することができる。【００８８】
なお、本実施の形態で説明した情報表示方法は、あらかじめ用意されたプログラムをパーソナル・コンピュータ、ワークステーション、携帯端末装置（携帯電話）などのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図１】
2010067460.tif 000003
【図２】
2010067460.tif 000004
【図３】
2010067460.tif 000005
【図４】
2010067460.tif 000006
【図５】
2010067460.tif 000007
【図６】
2010067460.tif 000008
【図７】
2010067460.tif 000009
【手続補正書】
【提出日】平成23年6月13日(2011.6.13)
【手続補正１】
【補正対象書類名】特許請求の範囲
【補正対象項目名】全文
【補正方法】変更
【補正の内容】
【特許請求の範囲】
【請求項１】
地図情報を表示部に表示する表示制御手段と、移動体の現在地点の位置情報を取得する取得手段と、目的地点までの誘導経路を探索する探索手段と、を備えた情報表示装置であって、
前記目的地点とは異なる地点の指定入力を受け付ける入力手段をさらに備え、
前記探索手段は、すでに探索した前記目的地点までの前記誘導経路が存在する場合には当該誘導経路の情報を保持した状態で、前記移動体の現在地点から前記指定入力がなされた地点（以下、「指定入力地点」とする）までの一時経路を探索し、
前記表示制御手段は、前記表示部を制御して、前記指定入力の継続中に前記一時経路に関する情報を表示し、前記指定入力が解除された場合もしくは前記一時経路に関する情報が所定時間以上表示された場合に当該一時経路に関する情報の表示を消去することを特徴とする情報表示装置。
【請求項２】
前記表示制御手段は、前記表示部を制御して、前記現在地点と前記指定入力地点との距離に応じて前記一時経路に関する情報の表示形態を設定することを特徴とする請求項１に記載の情報表示装置。
【請求項３】
前記表示部に表示されている地図情報をスクロールするスクロール手段をさらに備え、
前記入力手段は、前記スクロール終了地点を前記指定入力地点とした前記指定入力を受け付けることを特徴とする請求項１または２に記載の情報表示装置。
【請求項４】
前記一時経路を表示中において、当該一時経路を用いて経路誘導を実行するか否かを確認する確認手段と、
前記一時経路を用いて経路誘導を実行する旨の確認がなされた場合に、当該一時経路を用いて経路誘導処理を実行する経路誘導手段と、
をさらに備えることを特徴とする請求項１〜３のいずれか一つに記載の情報表示装置。
【請求項５】
前記目的地点までの前記誘導経路を用いて経路誘導処理を実行する経路誘導手段をさらに備え、
前記表示制御手段は、前記誘導経路が存在している際に前記指定入力がなされた場合には、前記表示部を制御して、前記指定入力の継続中に前記一時経路に関する情報を当該誘導経路の情報とともに表示し、前記指定入力が解除されたら当該一時経路に関する情報の表示を消去することを特徴とする請求項１〜３のいずれか一つに記載の情報表示装置。
【請求項６】
前記一時経路を表示中において、前記誘導経路の代わりに前記一時経路を用いて経路誘導処理を実行するか否かを確認する確認手段をさらに備え、
前記経路誘導手段は、前記誘導経路の代わりに前記一時経路を用いて経路誘導処理を実行する旨の確認がなされた場合に、当該誘導経路を当該一時経路に変更して経路誘導処理を実行することを特徴とする請求項５に記載の情報表示装置。
【請求項７】
前記探索手段は、前記一時経路を表示中において、前記取得手段によって取得された前記移動体の現在地点の位置情報が変更された場合、変更された前記移動体の現在地点から前記指定入力地点までの一時経路を再探索することを特徴とする請求項１〜６のいずれか一つに記載の情報表示装置。
【請求項８】
地図情報を表示部に表示する表示制御工程と、移動体の現在地点の位置情報を取得する取得工程と、目的地点までの誘導経路を探索する探索工程と、を行う情報表示装置における情報表示方法であって、
前記目的地点とは異なる地点の指定入力を受け付ける入力工程と、
すでに探索した前記目的地点までの前記誘導経路が存在する場合には当該誘導経路の情報を保持した状態で、前記移動体の現在地点から前記指定入力がなされた地点（以下、「指定入力地点」とする）までの一時経路を探索する一時経路の探索工程と、
前記表示部を制御して、前記指定入力の継続中に前記一時経路に関する情報を表示し、前記指定入力が解除された場合もしくは前記一時経路に関する情報が所定時間以上表示された場合に当該一時経路に関する情報の表示を消去する一時経路の表示制御工程と、
をさらに含むことを特徴とする情報表示方法。
【請求項９】
請求項８に記載の情報表示方法をコンピュータに実行させることを特徴とする情報表示プログラム。
【請求項１０】
請求項９に記載の情報表示プログラムを記録したことを特徴とするコンピュータに読み取り可能な記録媒体。
【手続補正２】
【補正対象書類名】明細書
【補正対象項目名】０００５
【補正方法】変更
【補正の内容】
【０００５】
上述した課題を解決し、目的を達成するため、請求項１の発明にかかる情報表示装置は、地図情報を表示部に表示する表示制御手段と、移動体の現在地点の位置情報を取得する取得手段と、目的地点までの誘導経路を探索する探索手段と、を備えた情報表示装置であって、前記目的地点とは異なる地点の指定入力を受け付ける入力手段をさらに備え、前記探索手段は、すでに探索した目的地点までの誘導経路が存在する場合には当該誘導経路の情報を保持した状態で、前記移動体の現在地点から前記指定入力がなされた地点（以下、「指定入力地点」とする）までの一時経路を探索し、前記表示制御手段は、前記表示部を制御して、前記指定入力の継続中に前記一時経路に関する情報を表示し、前記指定入力が解除された場合もしくは前記一時経路に関する情報が所定時間以上表示された場合に当該一時経路に関する情報の表示を消去することを特徴とする。
【手続補正３】
【補正対象書類名】明細書
【補正対象項目名】０００６
【補正方法】変更
【補正の内容】
【０００６】
また、請求項８の発明にかかる情報表示方法は、地図情報を表示部に表示する表示制御工程と、移動体の現在地点の位置情報を取得する取得工程と、目的地点までの誘導経路を探索する探索工程と、を行う情報表示装置における情報表示方法であって、前記目的地点とは異なる地点の指定入力を受け付ける入力工程と、すでに探索した目的地点までの誘導経路が存在する場合には当該誘導経路の情報を保持した状態で、前記移動体の現在地点から前記指定入力がなされた地点（以下、「指定入力地点」とする）までの一時経路を探索する一時経路の探索工程と、前記表示部を制御して、前記指定入力の継続中に前記一時経路に関する情報を表示し、前記指定入力が解除された場合もしくは前記一時経路に関する情報が所定時間以上表示された場合に当該一時経路に関する情報の表示を消去する一時経路の表示制御工程と、をさらに含むことを特徴とする。
【国際調査報告】
2010067460.tif 000010
2010067460.tif 000011
2010067460.tif 000012
2010067460.tif 000013